(57)【要約】【課題】サイズが小さく、低価格な玩具装填装置への要求がある。【解決手段】玩具の装填装置であって、回転部材を有する装填ドラムおよびオーガーシャフトに沿って装填材を出口に移動させる装填ドラムの下部の回転オーガーを含む玩具の装填装置。また、装填玩具の装填に使用するキットを含んでいる。【選択図】図１
2007185484.tif 000002
【特許請求の範囲】
【請求項１】
a)  中空アウターケースであって、
a.  ファースト端とセコンド端とそして装填材を受け入れる開孔とを有する装填ドラムと、
b.  前記装填ドラムの下部に位置しかつそれに連通しさらに装填材の出口を含むオーガーハウジングと、を含み、
b)  装填ドラム内の水平軸の回りを回転する少なくとも一つの回転部材であって、その部材は装填ドラムのファースト端外面に結合した回転手段にて回転し、
c)  オーガーハウジング内にて回転するオーガーと、
d)  前記回転手段の回転で前記オーガーが回転するための駆動手段、
の上記構成からなる表面布ケース内に装填材を挿入する装置。
【請求項２】
回転部材は装填ドラムの内面よりも小さい直径としたフラットプレートである請求項１記載の装置。
【請求項３】
回転部材は、コネクターと一対のロッドとを含み、
a)  前記コネクターは回転部材ギヤに結合した装填ドラム内部のフアースト端に位置し、
ｂ)  前記一対のロッドはコネクターの各端部に結合し、各ロッドは装填ドラムの長さより僅かに短くした、
請求項１記載の装置。
【請求項４】
装填ドラムの頂部開孔はスクリュートップにてカバーした請求項１記載の装置。
【請求項５】
駆動手段はラチェットギヤ手段であり、それにより回転手段の回転は一方向のみ可能とした請求項１記載の装置。
【請求項６】
中空アウターケースは透過部分を含み装置の使用時にケース内部が見えるようにした請求項１、２または３いずれか記載の装置。
【請求項７】
バッテリーのハウジングを含む請求項１、２または３いずれか記載の装置。
【請求項８】
回転部材はさらにバッテリーハウジングにワイヤ接続したライト部材を含む請求項７記載の装置。
【請求項９】
回転部材は手動により回転させるハンドルを含む請求項１記載の装置。
【請求項１０】
回転部材はモータを含む請求項１記載の装置。
【請求項１１】
駆動手段は前記回転部材ギヤと前記オーガーとを作動結合するギヤを含む請求項３記載の装置。
【請求項１２】
装填材出口にはテーパ-状ノズルを含む請求項１記載の装置。
【請求項１３】
ａ）  閉塞手段を含む表面布ケースと、
ｂ）  前記表面布ケース内にフィットする装填材と、
ｃ）  前記表面布ケース内に装填材を挿入する請求項１記載の装置、
の上記構成からなる家庭用縫いぐるみ玩具の製作キット。
【発明の詳細な説明】
【技術分野】
【０００１】
この装置は縫いぐるみ玩具の分野に関し、特に縫いぐるみの装填用装置またはキットに関する。
【０００２】
発明の背景
テデイベアのような縫いぐるみ玩具を希望に応じて顧客が作れるような小売店は珍しいものではない。このような玩具は玩具の業界においてフラシ天（plush）として知られている。小売店の顧客は、完成した動物またはキャラタースキン類の多品目から選び、そのスキン類は動物またはキャラクターの形態内に共に縫製された布飾りで構成されるフラシ天玩具の表面布ケースの外態として機能するもので、その外態には柔らく、ふわふわした装填材料を一杯に装填して動物またはキャクターの全体形状に膨らませたものである。実際には、スキンは装填材および装飾細部のないフラシ天玩具である。顧客はスキンに装填された後スキンの所定位置に組付けられる容貌について多品目から選択し、さらにまたフラシ天の創作を完全にするために衣類および他のアクセサリーの多品目からも選択する。
【０００３】
店内製作プロセスの注目すべきところは装填の機械である。それは概して数フィートの長さ、幅、高さそして数百ポンドを計測するような重量装置の大きな部分である。大きなモータ、送風機、エアーコンプレッサーを駆動する交流電源であり、機械から装填材を押し出すために必要なエアー速度を発生し方向付け、そして圧力によりインジェクションチューブを通してスキン内に、そのスキンの布の開孔を通じて入れられる。装填材で満たされると、スキンはインジェクションチューブから離され、店員により開孔の回りを閉じ紐で満たされているその開孔を閉じるか、他の方法で閉じる。これには店員の熟練が必要である。
【０００４】
フラシ天玩具に装填するこの装填方法に要求される機械の大きさのために、それはノイズが大きくまた高価でもあり、顧客による操作は危険を伴い、特に子供ではより危険である。かかる事情から、顧客は単に一方的に見るだけで、店員が製作操作の総てを遂行する。
【０００５】
これら装填機械のサイズ、コストを低下させる試みは既に成されており、それはよりポータブルで大衆市場に適したものであったが、相対的に縮小できることが制約され、それはスキン内に満たすには十分な圧力を発生させる大きなモータ、コンプレッサーが要求されるからである。かかる機械は子供では持てない熟練、器用さが要求される。
そうとしても、サイズ、低価格な玩具装填装置への要求またアクテイブテイな玩具または手加工キットとして子供によっても家庭で使用できるような熟練のレベル、安全性が滞ったままである。
【０００６】
発明の概要
この発明の態様の一つは、表面布ケース内に装填材を挿入する装置を含み、中空アウターケースと、それはフアースト端、セコンド端を有する装填ドラムおよび装填材を受け入れる開孔を含み、オーガーシャフトの装填材出口と共に装填ドラムの下部に位置したオーガーシャフトと、オーガーシャフト下部に位置したベースと、装填ドラム内の水平軸の回りを回転する少なくとも一つの回転部材と、その部材は装填ドラムのフアースト端の外表面に結合された回転手段により回転され、オーガーシャフトの範囲内で回転するオーガーであって、そのフアースト端から装填材出口近傍に位置するセコンド端で回転し、かつ装填材出口の径がオーガーシャフトより小さく、回転部材と回転手段との間に位置した回転部材ギヤを含むギヤシステムであって、オーガーのフアースト端に結合されたオーガーギヤと、部材ギヤとオーガーギヤに結合した中間ギヤと、回転手段の回転を部材ギヤと同じように回転するようにした構成である。
【０００７】
この発明の他の態様は家庭において縫いぐるみ玩具を作るキットを含み、閉塞手段を含む表面布ケースと、表面布ケース内にフィットする装填材と、表面布ケース内に装填材を挿入する装置であってその装置はフアースト端およびセコンド端を有した装填ドラムを有する中空アウターケースおよび開孔とを含み、オーガーシャフトの装填材出口と共に装填ドラムの下部に位置したオーガーシャフトと、オーガーシャフト下部に位置したベースと、装填ドラム内の水平軸の回りを回転する少なくとも一つの回転部材と、その部材は装填ドラムのフアースト端の外表面に結合された回転手段により回転され、オーガーシャフト内で回転するオーガーであって、フアースト端から装填材出口近傍に位置するセコンド端で回転し、かつ装填材出口の径がオーガーシャフトより小さく、回転部材と回転手段との間に位置した回転部材ギヤを含むギヤシステムと、オーガーのフアースト端に結合されたオーガーギヤと、部材ギヤとオーガーギヤに結合した中間ギヤと、回転手段の回転を部材ギヤと同じように回転させ、装填筒体と装填材を内部に装填する上端および下端を有する中空透過性シリンダーを含み、そのシリンダーより僅かに小さい径のピストンプラットホームと、シリンダーの上端を介してピストンプラットホームから延びたシリンダーの長さよりも長いプランジャーロッドと、装填ドラム内の開孔で対になるシリンダー低部の接続手段とで構成される。
【０００８】
好ましい態様の詳細な説明
図１から図４を通して玩具装填装置10を示し、装填ドラム14を有する中空アウターケース12およびオーガーハウジング16とベース18を備えている。図４で見られるように、装填ドラム14内に回転板20があり、この本体はフラットなデイスクで示してある。回転板20は、装填ドラム14内の水平軸周りを回転するもので、このため装填ドラム14の内壁より僅かに小さい径にしてある。回転板20は装填ドラム14の両端内空洞を通じて延びショートベグ23で終部となるセンター軸21を有し、それは回動自在に装着されており、図１から４を通して見られるようにハンドル22で手動回転する。
【０００９】
図４の分解図を参照に、この発明の好ましい構造形態が示されている。装置の外側ケースは二つのハーフシェル121で構成され、その夫々はドラム14、オーガーハウジング16およびベース18の半形態を形成している。透過窓142、162のための開孔141、161が有り、ハーフシェル121の一方の部分のドラム14およびオーガーハウジング16内に形成されている。これらの窓142、162は図示されているようにシェル上に接着または適切な締具にてホールドされている。
【００１０】
オーガーハウジング16内の窓162の内側には、二片のオーガーシリンダー163が位置し、その中でオーガー24は回転自在に支持されている。オーガー24の一端が短軸241である。その他端はカラー242内に拘束されノズル28内にフィットしている。ノズル28はオーガーハウジング16上に保持されるもので、その半形態同士が合体した際のリテイニングリング243の螺合によるものである。
【００１１】
特に、装填ドラム14の下部はオーガーハウジング16であり、そこに螺旋状の回転オーガー24が位置する。オーガー24はオーガーハウジング16内に装填材出口26方向に装填材を移動できるように位置しており、その本体にはノズル28を備えている。ノズル28はテーパ状である。出口26に隣接しない回転オーガー24の一端は、オーガーギヤ30に軸241を介して結合されている。図４は好ましい例を示したものでオーガーギヤ30は中間減速ギヤ32に結合され、その回転は回転プレートギヤ34で駆動される。プレートギヤ34は３部材のハンドル22に取付具221により結合されている。これにより、ハンドル22が回転すると回転プレートギヤ34の回転に沿って回転プレート20が回転する。回転プレートギヤ34の回転で中間の減速ギヤ32が回転し、さらにオーガーギヤ30が回転し、それと共にオーガー24が回転する。このことは、オーガーに結合する回転手段22に代わる駆動装置は当業者にとって明らかであることが理解されよう。
【００１２】
使用時にあっては、装填材（図示していない）は装填開孔36を通じて装填装置10内に置かれる。スクリューキャップ38はインナー片とアウター片を有し、開孔36のシールに使用され、ハンドル22の回転で装填材は装填ドラム14内で混在される。中空アウターケース1２の内部は開放状態であるから、装填材は装填ドラム14からオーガーハウジング16内への下方に移動する。オーガーハウジング16において、オーガー24はオーガーハウジング16に沿って装填材に作用して装填材出口26に運び、その際にユーザが装填しようとする何らかの布ケース内に至る。
【００１３】
主本体のある種他の部材は、図１から図４で明らかである。ベース18において、そこは収納区分40であり、そこには玩具の装飾用アクセサリーが収納される。これ自体は玩具であり子供たちがそれを使用するものであるから、ビュジアルアピールが透過窓142、162によって強調されており、子供たちに装填ドラム14およびオーガーハウジング16内の双方で装填材の混在作用が見られるようにしてある。
【００１４】
装置のアクセサリーは図５に示してある。さらに備えられている回転プレートよりむしろ、ロッド対がハンドル22に装着したコネクター対により装填ドラム14のエッジ周辺を回転する。ハンドル22または他の適切な位置から装填ドラム14の他端にバッテリーハウジングがあり、そこには回路と小電源が収納される。ワイヤがコネクタ46を介してロッド44に通じており、そこにはLEDのような照明部材が備えられビュジアル効果を提供する。さらには、サウンドチップを音楽あるいは他の音響発生用として備えても良い。
【００１５】
図５に示すように、装填ドラムはシリンダー状筒体52を備えてもよく、それにはピストン56が備えられ、ロッド58の手段にてユーザにより移動させることができ、その上にハンドル54を有している。筒体52はドラム上部の開孔に直にマウントされている。
筒体52は上記のようにマウントされ、そしてドラムと連通しており装填材を適正な設定量で満たすことができ、それは筒体をフリーにするまで筒体を介してピストンの上昇で引き込ませることで成され、そうすることで筒体には装填材が加えられる。ピストンはドラム上に例えば螺合ネジによりマウントされるもので、ハンドルを握りかつ下方に押されることで動かされる。これは装填材を筒体からドラム内に押し付ける。必要に応じて、プランジャーは装填材を筒体からドラム内にそしてそこからオーガーハウジング内により押し付けるために下方に押される。
【００１６】
それは明らかなように、この発明全体の概念内にこの発明の装填機械があり、それは装填機械、フラシ天スキン、この発明による機械、装填材、一ないしそれ以上のスキンのコンビネーションである。
【図面の簡単な説明】
【００１７】
【図１】玩具装填装置の外観図、
【図２】図１に示す玩具装填装置の側面図
【図３】図１に示す玩具装填装置の側端面図
【図４】図１に示す玩具装填装置の分解図
【図５】図１−４の装置に使用するアクセサリーの側面図
【符号の説明】
【００１８】
10：玩具装填装置
12：中空アウターケース
14：装填ドラム
16：オーガーハウジング
18：ベース
20：回転板
24：回転オーガー
26：装填材出口
【誤訳訂正書】
【提出日】平成18年9月12日(2006.9.12)
【誤訳訂正１】
【訂正対象書類名】明細書
【訂正対象項目名】全文
【訂正方法】変更
【訂正の内容】
【発明の詳細な説明】
【技術分野】
【０００１】
この装置は縫いぐるみ玩具の分野に関し、特に縫いぐるみの装填用装置またはキットに
関する。
【０００２】
発明の背景
テデイベアのような縫いぐるみ玩具を希望に応じて顧客が作れるような小売店は珍しい
ものではない。このような玩具は玩具の業界においてフラシ天（plush）として知られて
いる。小売店の顧客は、完成した動物またはキャラタースキン類の多品目から選び、その
スキン類は動物またはキャラクターの形態内に共に縫製された布飾りで構成されるフラシ
天玩具の表面布ケースの外態として機能するもので、その外態には柔らく、ふわふわした
装填材料を一杯に装填して動物またはキャクターの全体形状に膨らませたものである。実
際には、スキンは装填材および装飾細部のないフラシ天玩具である。顧客はスキンに装填
された後スキンの所定位置に組付けられる容貌について多品目から選択し、さらにまたフ
ラシ天の創作を完全にするために衣類および他のアクセサリーの多品目からも選択する。
【０００３】
店内製作プロセスの注目すべきところは装填の機械である。それは概して数フィートの
長さ、幅、高さそして数百ポンドを計測するような重量装置の大きな部分である。大きな
モータ、送風機、エアーコンプレッサーを駆動する交流電源であり、機械から装填材を押
し出すために必要なエアー速度を発生し方向付け、そして圧力によりインジェクションチ
ューブを通してスキン内に、そのスキンの布の開孔を通じて入れられる。装填材で満たさ
れると、スキンはインジェクションチューブから離され、店員により開孔の回りを閉じ紐
で満たされているその開孔を閉じるか、他の方法で閉じる。これには店員の熟練が必要で
ある。
【０００４】
フラシ天玩具に装填するこの装填方法に要求される機械の大きさのために、それはノイ
ズが大きくまた高価でもあり、顧客による操作は危険を伴い、特に子供ではより危険であ
る。かかる事情から、顧客は単に一方的に見るだけで、店員が製作操作の総てを遂行する
。
【０００５】
これら装填機械のサイズ、コストを低下させる試みは既に成されており、それはよりポ
ータブルで大衆市場に適したものであったが、相対的に縮小できることが制約され、それ
はスキン内に満たすには十分な圧力を発生させる大きなモータ、コンプレッサーが要求さ
れるからである。かかる機械は子供では持てない熟練、器用さが要求される。
そうとしても、サイズ、低価格な玩具装填装置への要求またアクテイブテイな玩具また
は手加工キットとして子供によっても家庭で使用できるような熟練のレベル、安全性が滞
ったままである。
【０００６】
発明の概要
この発明の態様の一つは、表面布ケース内に装填材を挿入する装置を含み、中空アウタ
ーケースと、それはフアースト端、セコンド端を有する装填ドラムおよび装填材を受け入
れる開孔を含み、オーガーシャフトの装填材出口と共に装填ドラムの下部に位置したオー
ガーシャフトと、オーガーシャフト下部に位置したベースと、装填ドラム内の水平軸の回
りを回転する少なくとも一つの回転部材と、その部材は装填ドラムのフアースト端の外表
面に結合された回転手段により回転され、オーガーシャフトの範囲内で回転するオーガー
であって、そのフアースト端から装填材出口近傍に位置するセコンド端で回転し、かつ装
填材出口の径がオーガーシャフトより小さく、回転部材と回転手段との間に位置した回転
部材ギヤを含むギヤシステムであって、オーガーのフアースト端に結合されたオーガーギ
ヤと、部材ギヤとオーガーギヤに結合した中間ギヤと、回転手段の回転を部材ギヤと同じ
ように回転するようにした構成である。
【０００７】
この発明の他の態様は家庭において縫いぐるみ玩具を作るキットを含み、閉塞手段を含
む表面布ケースと、表面布ケース内にフィットする装填材と、表面布ケース内に装填材を
挿入する装置であってその装置はフアースト端およびセコンド端を有した装填ドラムを有
する中空アウターケースおよび開孔とを含み、オーガーシャフトの装填材出口と共に装填
ドラムの下部に位置したオーガーシャフトと、オーガーシャフト下部に位置したベースと
、装填ドラム内の水平軸の回りを回転する少なくとも一つの回転部材と、その部材は装填
ドラムのフアースト端の外表面に結合された回転手段により回転され、オーガーシャフト
内で回転するオーガーであって、フアースト端から装填材出口近傍に位置するセコンド端
で回転し、かつ装填材出口の径がオーガーシャフトより小さく、回転部材と回転手段との
間に位置した回転部材ギヤを含むギヤシステムと、オーガーのフアースト端に結合された
オーガーギヤと、部材ギヤとオーガーギヤに結合した中間ギヤと、回転手段の回転を部材
ギヤと同じように回転させ、装填筒体と装填材を内部に装填する上端および下端を有する
中空透過性シリンダーを含み、そのシリンダーより僅かに小さい径のピストンプラットホ
ームと、シリンダーの上端を介してピストンプラットホームから延びたシリンダーの長さ
よりも長いプランジャーロッドと、装填ドラム内の開孔で対になるシリンダー低部の接続
手段とで構成される。
【０００８】
好ましい態様の詳細な説明
図１から図４を通して玩具装填装置10を示し、装填ドラム14を有する中空アウターケー
ス12およびオーガーハウジング16とベース18を備えている。図４で見られるように、装填
ドラム14内に回転板20があり、この本体はフラットなデイスクで示してある。回転板20は
、装填ドラム14内の水平軸周りを回転するもので、このため装填ドラム14の内壁より僅か
に小さい径にしてある。回転板20は装填ドラム14の両端内空洞を通じて延びショートベグ
23で終部となるセンター軸21を有し、それは回動自在に装着されており、図１から４を通
して見られるようにハンドル22で手動回転する。
【０００９】
図４の分解図を参照に、この発明の好ましい構造形態が示されている。装置の外側ケー
スは二つのハーフシェル121で構成され、その夫々はドラム14、オーガーハウジング16お
よびベース18の半形態を形成している。透過窓142、162のための開孔141、161が有り、ハ
ーフシェル121の一方の部分のドラム14およびオーガーハウジング16内に形成されている
。これらの窓142、162は図示されているようにシェル上に接着または適切な締具にてホー
ルドされている。
【００１０】
オーガーハウジング16内の窓162の内側には、二片のオーガーシリンダー163が位置し、
その中でオーガー24は回転自在に支持されている。オーガー24の一端が短軸241である。
その他端はカラー242内に拘束されノズル28内にフィットしている。ノズル28はオーガー
ハウジング16上に保持されるもので、その半形態同士が合体した際のリテイニングリング
243の螺合によるものである。
【００１１】
特に、装填ドラム14の下部はオーガーハウジング16であり、そこに螺旋状の回転オーガ
ー24が位置する。オーガー24はオーガーハウジング16内に装填材出口26方向に装填材を移
動できるように位置しており、その本体にはノズル28を備えている。ノズル28はテーパ状
である。出口26に隣接しない回転オーガー24の一端は、オーガーギヤ30に軸241を介して
結合されている。図４は好ましい例を示したものでオーガーギヤ30は中間減速ギヤ32に結
合され、その回転は回転プレートギヤ34で駆動される。プレートギヤ34は３部材のハンド
ル22に取付具221により結合されている。これにより、ハンドル22が回転すると回転プレ
ートギヤ34の回転に沿って回転プレート20が回転する。回転プレートギヤ34の回転で中間
の減速ギヤ32が回転し、さらにオーガーギヤ30が回転し、それと共にオーガー24が回転す
る。このことは、オーガーに結合する回転手段22に代わる駆動装置は当業者にとって明ら
かであることが理解されよう。
【００１２】
使用時にあっては、装填材（図示していない）は装填開孔36を通じて装填装置10内に置
かれる。スクリューキャップ38はインナー片とアウター片を有し、開孔36のシールに使用
され、ハンドル22の回転で装填材は装填ドラム14内で混在される。中空アウターケース1
２の内部は開放状態であるから、装填材は装填ドラム14からオーガーハウジング16内への
下方に移動する。オーガーハウジング16において、オーガー24はオーガーハウジング16に
沿って装填材に作用して装填材出口26に運び、その際にユーザが装填しようとする何らか
の布ケース内に至る。
【００１３】
主本体のある種他の部材は、図１から図４で明らかである。ベース18において、そこは
収納区分40であり、そこには玩具の装飾用アクセサリーが収納される。これ自体は玩具で
あり子供たちがそれを使用するものであるから、ビュジアルアピールが透過窓142、162に
よって強調されており、子供たちに装填ドラム14およびオーガーハウジング16内の双方で
装填材の混在作用が見られるようにしてある。
【００１４】
装置のアクセサリーは図５に示してある。さらに備えられている回転プレートよりむし
ろ、ロッド対がハンドル22に装着したコネクター対により装填ドラム14のエッジ周辺を回
転する。ハンドル22または他の適切な位置から装填ドラム14の他端にバッテリーハウジン
グがあり、そこには回路と小電源が収納される。ワイヤがコネクタ46を介してロッド44に
通じており、そこにはLEDのような照明部材が備えられビュジアル効果を提供する。さら
には、サウンドチップを音楽あるいは他の音響発生用として備えても良い。
【００１５】
図５に示すように、装填ドラムはシリンダー状筒体52を備えてもよく、それにはピスト
ン56が備えられ、ロッド58の手段にてユーザにより移動させることができ、その上にハン
ドル54を有している。筒体52はドラム上部の開孔に直にマウントされている。
筒体52は上記のようにマウントされ、そしてドラムと連通しており装填材を適正な設定
量で満たすことができ、それは筒体をフリーにするまで筒体を介してピストンの上昇で引
き込ませることで成され、そうすることで筒体には装填材が加えられる。ピストンはドラ
ム上に例えば螺合ネジによりマウントされるもので、ハンドルを握りかつ下方に押される
ことで動かされる。これは装填材を筒体からドラム内に押し付ける。必要に応じて、プラ
ンジャーは装填材を筒体からドラム内にそしてそこからオーガーハウジング内により押し
付けるために下方に押される。
【００１６】
それは明らかなように、この発明全体の概念内にこの発明の装填機械があり、それは装
填機械、フラシ天スキン、この発明による機械、装填材、一ないしそれ以上のスキンのコ
ンビネーションである。
【図面の簡単な説明】
【００１７】
【図１】玩具装填装置の外観図。
【図２】図１に示す玩具装填装置の側面図。
【図３】図１に示す玩具装填装置の側端面図。
【図４】図１に示す玩具装填装置の分解図。
【図５】図１−４の装置に使用するアクセサリーの側面図。
【符号の説明】
【００１８】
10：玩具装填装置
12：中空アウターケース
14：装填ドラム
16：オーガーハウジング
18：ベース
20：回転板
24：回転オーガー
26：装填材出口
【誤訳訂正２】
【訂正対象書類名】図面
【訂正対象項目名】全図
【訂正方法】追加
【訂正の内容】
【図１】
2007185484.tif 000003
【図２】
2007185484.tif 000004
【図３】
2007185484.tif 000005
【図４】
2007185484.tif 000006
【図５】
2007185484.tif 000007
【手続補正書】
【提出日】平成18年9月12日(2006.9.12)
【手続補正１】
【補正対象書類名】明細書
【補正対象項目名】全文
【補正方法】変更
【補正の内容】
【発明の詳細な説明】
【技術分野】
【０００１】
この装置は縫いぐるみ玩具の分野に関し、特に縫いぐるみの装填用装置またはキットに
関する。
【０００２】
発明の背景
テデイベアのような縫いぐるみ玩具を希望に応じて顧客が作れるような小売店は珍しい
ものではない。このような玩具は玩具の業界においてフラシ天（plush）として知られて
いる。小売店の顧客は、完成した動物またはキャラタースキン類の多品目から選び、その
スキン類は動物またはキャラクターの形態内に共に縫製された布飾りで構成されるフラシ
天玩具の表面布ケースの外態として機能するもので、その外態には柔らく、ふわふわした
装填材料を一杯に装填して動物またはキャクターの全体形状に膨らませたものである。実
際には、スキンは装填材および装飾細部のないフラシ天玩具である。顧客はスキンに装填
された後スキンの所定位置に組付けられる容貌について多品目から選択し、さらにまたフ
ラシ天の創作を完全にするために衣類および他のアクセサリーの多品目からも選択する。
【０００３】
店内製作プロセスの注目すべきところは装填の機械である。それは概して数フィートの
長さ、幅、高さそして数百ポンドを計測するような重量装置の大きな部分である。大きな
モータ、送風機、エアーコンプレッサーを駆動する交流電源であり、機械から装填材を押
し出すために必要なエアー速度を発生し方向付け、そして圧力によりインジェクションチ
ューブを通してスキン内に、そのスキンの布の開孔を通じて入れられる。装填材で満たさ
れると、スキンはインジェクションチューブから離され、店員により開孔の回りを閉じ紐
で満たされているその開孔を閉じるか、他の方法で閉じる。これには店員の熟練が必要で
ある。
【０００４】
フラシ天玩具に装填するこの装填方法に要求される機械の大きさのために、それはノイ
ズが大きくまた高価でもあり、顧客による操作は危険を伴い、特に子供ではより危険であ
る。かかる事情から、顧客は単に一方的に見るだけで、店員が製作操作の総てを遂行する
。
【０００５】
これら装填機械のサイズ、コストを低下させる試みは既に成されており、それはよりポ
ータブルで大衆市場に適したものであったが、相対的に縮小できることが制約され、それ
はスキン内に満たすには十分な圧力を発生させる大きなモータ、コンプレッサーが要求さ
れるからである。かかる機械は子供では持てない熟練、器用さが要求される。
そうとしても、サイズ、低価格な玩具装填装置への要求またアクテイブテイな玩具また
は手加工キットとして子供によっても家庭で使用できるような熟練のレベル、安全性が滞
ったままである。
【０００６】
発明の概要
この発明の態様の一つは、表面布ケース内に装填材を挿入する装置を含み、中空アウタ
ーケースと、それはフアースト端、セコンド端を有する装填ドラムおよび装填材を受け入
れる開孔を含み、オーガーシャフトの装填材出口と共に装填ドラムの下部に位置したオー
ガーシャフトと、オーガーシャフト下部に位置したベースと、装填ドラム内の水平軸の回
りを回転する少なくとも一つの回転部材と、その部材は装填ドラムのフアースト端の外表
面に結合された回転手段により回転され、オーガーシャフトの範囲内で回転するオーガー
であって、そのフアースト端から装填材出口近傍に位置するセコンド端で回転し、かつ装
填材出口の径がオーガーシャフトより小さく、回転部材と回転手段との間に位置した回転
部材ギヤを含むギヤシステムであって、オーガーのフアースト端に結合されたオーガーギ
ヤと、部材ギヤとオーガーギヤに結合した中間ギヤと、回転手段の回転を部材ギヤと同じ
ように回転するようにした構成である。
【０００７】
この発明の他の態様は家庭において縫いぐるみ玩具を作るキットを含み、閉塞手段を含
む表面布ケースと、表面布ケース内にフィットする装填材と、表面布ケース内に装填材を
挿入する装置であってその装置はフアースト端およびセコンド端を有した装填ドラムを有
する中空アウターケースおよび開孔とを含み、オーガーシャフトの装填材出口と共に装填
ドラムの下部に位置したオーガーシャフトと、オーガーシャフト下部に位置したベースと
、装填ドラム内の水平軸の回りを回転する少なくとも一つの回転部材と、その部材は装填
ドラムのフアースト端の外表面に結合された回転手段により回転され、オーガーシャフト
内で回転するオーガーであって、フアースト端から装填材出口近傍に位置するセコンド端
で回転し、かつ装填材出口の径がオーガーシャフトより小さく、回転部材と回転手段との
間に位置した回転部材ギヤを含むギヤシステムと、オーガーのフアースト端に結合された
オーガーギヤと、部材ギヤとオーガーギヤに結合した中間ギヤと、回転手段の回転を部材
ギヤと同じように回転させ、装填筒体と装填材を内部に装填する上端および下端を有する
中空透過性シリンダーを含み、そのシリンダーより僅かに小さい径のピストンプラットホ
ームと、シリンダーの上端を介してピストンプラットホームから延びたシリンダーの長さ
よりも長いプランジャーロッドと、装填ドラム内の開孔で対になるシリンダー低部の接続
手段とで構成される。
【０００８】
好ましい態様の詳細な説明
図１から図４を通して玩具装填装置10を示し、装填ドラム14を有する中空アウターケー
ス12およびオーガーハウジング16とベース18を備えている。図４で見られるように、装填
ドラム14内に回転板20があり、この本体はフラットなデイスクで示してある。回転板20は
、装填ドラム14内の水平軸周りを回転するもので、このため装填ドラム14の内壁より僅か
に小さい径にしてある。回転板20は装填ドラム14の両端内空洞を通じて延びショートベグ
23で終部となるセンター軸21を有し、それは回動自在に装着されており、図１から４を通
して見られるようにハンドル22で手動回転する。
【０００９】
図４の分解図を参照に、この発明の好ましい構造形態が示されている。装置の外側ケー
スは二つのハーフシェル121で構成され、その夫々はドラム14、オーガーハウジング16お
よびベース18の半形態を形成している。透過窓142、162のための開孔141、161が有り、ハ
ーフシェル121の一方の部分のドラム14およびオーガーハウジング16内に形成されている
。これらの窓142、162は図示されているようにシェル上に接着または適切な締具にてホー
ルドされている。
【００１０】
オーガーハウジング16内の窓162の内側には、二片のオーガーシリンダー163が位置し、
その中でオーガー24は回転自在に支持されている。オーガー24の一端が短軸241である。
その他端はカラー242内に拘束されノズル28内にフィットしている。ノズル28はオーガー
ハウジング16上に保持されるもので、その半形態同士が合体した際のリテイニングリング
243の螺合によるものである。
【００１１】
特に、装填ドラム14の下部はオーガーハウジング16であり、そこに螺旋状の回転オーガ
ー24が位置する。オーガー24はオーガーハウジング16内に装填材出口26方向に装填材を移
動できるように位置しており、その本体にはノズル28を備えている。ノズル28はテーパ状
である。出口26に隣接しない回転オーガー24の一端は、オーガーギヤ30に軸241を介して
結合されている。図４は好ましい例を示したものでオーガーギヤ30は中間減速ギヤ32に結
合され、その回転は回転プレートギヤ34で駆動される。プレートギヤ34は３部材のハンド
ル22に取付具221により結合されている。これにより、ハンドル22が回転すると回転プレ
ートギヤ34の回転に沿って回転プレート20が回転する。回転プレートギヤ34の回転で中間
の減速ギヤ32が回転し、さらにオーガーギヤ30が回転し、それと共にオーガー24が回転す
る。このことは、オーガーに結合する回転手段22に代わる駆動装置は当業者にとって明ら
かであることが理解されよう。
【００１２】
使用時にあっては、装填材（図示していない）は装填開孔36を通じて装填装置10内に置
かれる。スクリューキャップ38はインナー片とアウター片を有し、開孔36のシールに使用
され、ハンドル22の回転で装填材は装填ドラム14内で混在される。中空アウターケース1
２の内部は開放状態であるから、装填材は装填ドラム14からオーガーハウジング16内への
下方に移動する。オーガーハウジング16において、オーガー24はオーガーハウジング16に
沿って装填材に作用して装填材出口26に運び、その際にユーザが装填しようとする何らか
の布ケース内に至る。
【００１３】
主本体のある種他の部材は、図１から図４で明らかである。ベース18において、そこは
収納区分40であり、そこには玩具の装飾用アクセサリーが収納される。これ自体は玩具で
あり子供たちがそれを使用するものであるから、ビュジアルアピールが透過窓142、162に
よって強調されており、子供たちに装填ドラム14およびオーガーハウジング16内の双方で
装填材の混在作用が見られるようにしてある。
【００１４】
装置のアクセサリーは図５に示してある。さらに備えられている回転プレートよりむし
ろ、ロッド対がハンドル22に装着したコネクター対により装填ドラム14のエッジ周辺を回
転する。ハンドル22または他の適切な位置から装填ドラム14の他端にバッテリーハウジン
グがあり、そこには回路と小電源が収納される。ワイヤがコネクタ46を介してロッド44に
通じており、そこにはLEDのような照明部材が備えられビュジアル効果を提供する。さら
には、サウンドチップを音楽あるいは他の音響発生用として備えても良い。
【００１５】
図５に示すように、装填ドラムはシリンダー状筒体52を備えてもよく、それにはピスト
ン56が備えられ、ロッド58の手段にてユーザにより移動させることができ、その上にハン
ドル54を有している。筒体52はドラム上部の開孔に直にマウントされている。
筒体52は上記のようにマウントされ、そしてドラムと連通しており装填材を適正な設定
量で満たすことができ、それは筒体をフリーにするまで筒体を介してピストンの上昇で引
き込ませることで成され、そうすることで筒体には装填材が加えられる。ピストンはドラ
ム上に例えば螺合ネジによりマウントされるもので、ハンドルを握りかつ下方に押される
ことで動かされる。これは装填材を筒体からドラム内に押し付ける。必要に応じて、プラ
ンジャーは装填材を筒体からドラム内にそしてそこからオーガーハウジング内により押し
付けるために下方に押される。
【００１６】
それは明らかなように、この発明全体の概念内にこの発明の装填機械があり、それは装
填機械、フラシ天スキン、この発明による機械、装填材、一ないしそれ以上のスキンのコ
ンビネーションである。
【外国語明細書】
2007185484.tif 000008
2007185484.tif 000009
2007185484.tif 000010
2007185484.tif 000011
2007185484.tif 000012
2007185484.tif 000013
2007185484.tif 000014
2007185484.tif 000015
2007185484.tif 000016
2007185484.tif 000017
2007185484.tif 000018
2007185484.tif 000019
2007185484.tif 000020